【手続補正書】
【提出日】平成15年7月4日(2003.7.4)
【手続補正１】
【補正対象書類名】明細書
【補正対象項目名】発明の名称
【補正方法】変更
【補正の内容】
【発明の名称】電灯線搬送用線路インピダンスの改善方法および電灯線搬送回路
【手続補正２】
【補正対象書類名】明細書
【補正対象項目名】特許請求の範囲
【補正方法】変更
【補正の内容】
【特許請求の範囲】
【請求項１】
電灯線搬送を適用し、複数のブレーカを有する屋内配電線路において、前記ブレーカどうしを接続する線路途中に、ブレーカ点から見た配電線路インダクタンスと並列共振を発生させる交流コンデンサを接続し、前記並列共振の周波数が搬送波周波域内となるように前記交流コンデンサの容量を選択したことを特徴とする電灯線搬送用線路インピダンスの改善方法。
【請求項２】
電灯線搬送を適用し、主ブレーカと、前記主ブレーカに接続する分岐ブレーカとを有する屋内配電線路において、前記主ブレーカと前記分岐ブレーカとを接続する線路途中に、主ブレーカ点から見た配電線路インダクタンスと並列共振を発生させる交流コンデンサを接続し、前記並列共振の周波数が搬送波周波域内となるように前記交流コンデンサの容量を選択したことを特徴とする電灯線搬送用線路インピダンスの改善方法。
【請求項３】
電灯線搬送を適用し、分岐ブレーカと、前記分岐ブレーカに続く第１の分岐点とを有する屋内配電線路において、前記第１の分岐点に、前記第１の分岐点の配電線路インダクタンスと並列共振を発生させる交流コンデンサを接続し、前記並列共振の周波数が搬送波周波域内となるよう前記交流コンデンサの容量を選択したことを特徴とする電灯線搬送用線路インピダンスの改善方法。
【請求項４】
電灯線搬送を適用し、コンセント用分岐点と、前記コンセント用分岐点から分岐するコンセントとを有する屋内配電線路において、前記コンセント用分岐点に、前記コンセント用分岐点の配電線路インダクタンスと並列共振を発生させる交流コンデンサを接続し、前記並列共振の周波数が搬送波周波域内となるよう前記交流コンデンサの容量を選択したことを特徴とする電灯線搬送用線路インピダンスの改善方法。
【請求項５】
屋内配電線路が単相３線式であり、主ブレーカと分岐ブレーカとを接続する３つの１００Ｖ線のうち、１つの１００Ｖ線と他の２つの１００Ｖ線路間に、それぞれ交流コンデンサを接続した請求項２記載の電灯線搬送用線路インピダンスの改善方法。
【請求項６】
１００Ｖ線路間に、相互信号伝送器を接続した請求項５記載の電灯線搬送用線路インピダンスの改善方法。
【請求項７】
１００Ｖ線路間に、１００Ｖ線路間用相互信号伝送機能と搬送波信号の屋外流出を防止する機能を有する手段を接続した請求項５記載の電灯線搬送用線路インピダンスの改善方法。
【請求項８】
１００Ｖ線路間用相互信号伝送機能と搬送波信号の屋外流出を防止する機能を有する手段としてブロッキングフィルタを用いる請求項７記載の電灯線搬送用線路インピダンスの改善方法。
【請求項９】
交流コンデンサの容量を約０．０６μＦ〜約０．８０μＦの範囲に選んだ請求項１から請求項８のいずれかに記載の電灯線搬送用線路インピダンスの改善方法。
【請求項１０】
電灯線搬送を適用し、複数のブレーカを有する屋内配電線路において、前記ブレーカどうしを接続する線路途中に、ブレーカ点から見た配電線路インダクタンスと並列共振を発生させ、かつ前記並列共振の周波数が搬送波周波域内となるように容量を選択した交流コンデンサを接続した電灯線搬送用回路。
【請求項１１】
電灯線搬送を適用し、主ブレーカと、前記主ブレーカに接続する分岐ブレーカとを有する屋内配電線路において、前記主ブレーカと前記分岐ブレーカとを接続する線路途中に、主ブレーカ点から見た配電線路インダクタンスと並列共振を発生させ、かつ前記並列共振の周波数が搬送波周波域内となるように容量を選択した交流コンデンサを接続した電灯線搬送用回路。
【請求項１２】
電灯線搬送を適用し、分岐ブレーカと、前記分岐ブレーカに続く第１の分岐点とを有する屋内配電線路において、前記第１の分岐点に、前記第１の分岐点の配電線路インダクタンスと並列共振を発生させ、かつ前記並列共振の周波数が搬送波周波域内となるように容量を選択した交流コンデンサを接続した電灯線搬送用回路。
【請求項１３】
電灯線搬送を適用し、コンセント用分岐点と、前記コンセント用分岐点から分岐するコンセントとを有する屋内配電線路において、前記コンセント用分岐点に、前記コンセント用分岐点の配電線路インダクタンスと並列共振を発生させ、かつ前記並列共振の周波数が搬送波周波域内となるように容量を選択した交流コンデンサを接続した電灯線搬送用回路。
【請求項１４】
屋内配電線路が単相３線式であり、主ブレーカと分岐ブレーカとを接続する３つの１００Ｖ線のうち、１つの１００Ｖ線と他の２つの１００Ｖ線路間に、それぞれ交流コンデンサを接続した請求項１１記載の電灯線搬送用回路。
【請求項１５】
１００Ｖ線路間に、相互信号伝送器を接続した請求項１４記載の電灯線搬送用回路。
【請求項１６】
１００Ｖ線路間に、１００Ｖ線路間用相互信号伝送機能と搬送波信号の屋外流出を防止する機能を有する手段を接続した請求項１４記載の電灯線搬送用回路。
【請求項１７】
１００Ｖ線路間用相互信号伝送機能と搬送波信号の屋外流出を防止する機能を有する手段としてブロッキングフィルタを用いる請求項７記載の電灯線搬送用回路。
【請求項１８】
交流コンデンサの容量を約０．０６μＦ〜約０．８０μＦの範囲に選んだ請求項１０から請求項１７のいずれかに記載の電灯線搬送用回路。
【手続補正３】
【補正対象書類名】明細書
【補正対象項目名】０００１
【補正方法】変更
【補正の内容】
【０００１】
【発明の属する技術分野】
本発明は、電灯線上で通信を行なう電灯線搬送通信方式の電灯線搬送用線路インピダンスの改善方法および電灯線搬送回路に関するものである。


【手続補正４】
【補正対象書類名】明細書
【補正対象項目名】０００４
【補正方法】変更
【補正の内容】
【０００４】
本発明は、上記の従来の課題を解決するもので、この信号減衰による通信障害を低減し通信の信頼性を高めることができる電灯線搬送用線路インピダンスの改善方法および電灯線搬送回路を提供することを目的とする。


【手続補正５】
【補正対象書類名】明細書
【補正対象項目名】０００５
【補正方法】変更
【補正の内容】
【０００５】
【課題を解決するための手段】
請求項１記載の電灯線搬送用線路インピダンスの改善方法は、電灯線搬送を適用し、複数のブレーカを有する屋内配電線路において、前記ブレーカどうしを接続する線路途中に、ブレーカ点から見た配電線路インダクタンスと並列共振を発生させる交流コンデンサを接続し、前記並列共振の周波数が搬送波周波域内となるように前記交流コンデンサの容量を選択したことを特徴とするものである。


【手続補正６】
【補正対象書類名】明細書
【補正対象項目名】０００６
【補正方法】変更
【補正の内容】
【０００６】
請求項１記載の電灯線搬送用線路インピダンスの改善方法によれば、線路インピダンスがほぼ純インダクタンス特性を示すことを利用し、配線路が複数並列接続されて線路インピダンスが低下する低下点であるブレーカ点に、低下点での線路インダクタンスと並列共振を発生させる交流コンデンサを接続し、並列共振の周波数が搬送波周波域内におさまるよう選択するため、低インピダンス点で発生させた並列共振によって搬送波帯周波数域でのインピダンスを向上し信号減衰の抑止に有効となる。また、複雑高価な能動回路を用いることなく、受動素子であるコンデンサを接続するだけの極めて簡単な構成で実施でき、優れた経済性をもつ電灯線搬送用線路を実現することができる。


【手続補正７】
【補正対象書類名】明細書
【補正対象項目名】０００７
【補正方法】変更
【補正の内容】
【０００７】
請求項２記載の電灯線搬送用線路インピダンスの改善方法は、電灯線搬送を適用し、主ブレーカと、前記主ブレーカに接続する分岐ブレーカとを有する屋内配電線路において、前記主ブレーカと前記分岐ブレーカとを接続する線路途中に、主ブレーカ点から見た配電線路インダクタンスと並列共振を発生させる交流コンデンサを接続し、前記並列共振の周波数が搬送波周波域内となるように前記交流コンデンサの容量を選択したことを特徴とするものである。
【手続補正８】
【補正対象書類名】明細書
【補正対象項目名】０００９
【補正方法】変更
【補正の内容】
【０００９】
請求項３記載の電灯線搬送用線路インピダンスの改善方法は、電灯線搬送を適用し、分岐ブレーカと、前記分岐ブレーカに続く第１の分岐点とを有する屋内配電線路において、前記第１の分岐点に、前記第１の分岐点の配電線路インダクタンスと並列共振を発生させる交流コンデンサを接続し、前記並列共振の周波数が搬送波周波域内となるよう前記交流コンデンサの容量を選択したことを特徴とするものである。


【手続補正９】
【補正対象書類名】明細書
【補正対象項目名】００１１
【補正方法】変更
【補正の内容】
【００１１】
請求項４記載の電灯線搬送用線路インピダンスの改善方法は、電灯線搬送を適用し、コンセント用分岐点と、前記コンセント用分岐点から分岐するコンセントとを有する屋内配電線路において、前記コンセント用分岐点に、前記コンセント用分岐点の配電線路インダクタンスと並列共振を発生させる交流コンデンサを接続し、前記並列共振の周波数が搬送波周波域内となるよう前記交流コンデンサの容量を選択したことを特徴とするものである。


【手続補正１０】
【補正対象書類名】明細書
【補正対象項目名】００１３
【補正方法】変更
【補正の内容】
【００１３】
請求項５記載の電灯線搬送用線路インピダンスの改善方法は、請求項２において、屋内配電線路が単相３線式であり、主ブレーカと分岐ブレーカとを接続する３つの１００Ｖ線のうち、１つの１００Ｖ線と他の２つの１００Ｖ線路間に、それぞれ交流コンデンサを接続したものである。
【手続補正１１】
【補正対象書類名】明細書
【補正対象項目名】００１５
【補正方法】変更
【補正の内容】
【００１５】
請求項６記載の電灯線搬送用線路インピダンスの改善方法は、請求項５において、１００Ｖ線路間に、相互信号伝送器を接続したものである。
【手続補正１２】
【補正対象書類名】明細書
【補正対象項目名】００１７
【補正方法】変更
【補正の内容】
【００１７】
請求項７記載の電灯線搬送用線路インピダンスの改善方法は、請求項５において、１００Ｖ線路間に、１００Ｖ線路間用相互信号伝送機能と搬送波信号の屋外流出を防止する機能を有する手段を接続したものである。


【手続補正１３】
【補正対象書類名】明細書
【補正対象項目名】００１８
【補正方法】変更
【補正の内容】
【００１８】
請求項７記載の電灯線搬送用線路インピダンスの改善方法によれば、請求項１と同様に、主ブレーカ点で２回路のインピダンスを高め、同一の１００Ｖ線路間および異なる１００Ｖ間との信号減衰を抑制する。
請求項８記載の電灯線搬送用線路インピダンスの改善方法は、請求項７において、１００Ｖ線路間用相互信号伝送機能と搬送波信号の屋外流出を防止する機能を有する手段としてブロッキングフィルタを用いるものである。
請求項８記載の電灯線搬送用線路インピダンスの改善方法によれば、請求項７と同様な効果がある。
請求項９記載の電灯線搬送用線路インピダンスの改善方法は、請求項１から請求項８のいずれかにおいて、交流コンデンサの容量を約０．０６μＦ〜約０．８０μＦの範囲に選んだものである。
請求項９記載の電灯線搬送用線路インピダンスの改善方法によれば、請求項１から請求項８のいずれかと同様な効果がある。
請求項１０記載の電灯線搬送用回路は、電灯線搬送を適用し、複数のブレーカを有する屋内配電線路において、前記ブレーカどうしを接続する線路途中に、ブレーカ点から見た配電線路インダクタンスと並列共振を発生させ、かつ前記並列共振の周波数が搬送波周波域内となるように容量を選択した交流コンデンサを接続したものである。
請求項１０記載の電灯線搬送用回路によれば、請求項１と同様な効果がある。請求項１１記載の電灯線搬送用回路は、電灯線搬送を適用し、主ブレーカと、前記主ブレーカに接続する分岐ブレーカとを有する屋内配電線路において、前記主ブレーカと前記分岐ブレーカとを接続する線路途中に、主ブレーカ点から見た配電線路インダクタンスと並列共振を発生させ、かつ前記並列共振の周波数が搬送波周波域内となるように容量を選択した交流コンデンサを接続したものである。
請求項１１記載の電灯線搬送用回路によれば、請求項２と同様な効果がある。請求項１２記載の電灯線搬送用回路は、電灯線搬送を適用し、分岐ブレーカと、前記分岐ブレーカに続く第１の分岐点とを有する屋内配電線路において、前記第１の分岐点に、前記第１の分岐点の配電線路インダクタンスと並列共振を発生させ、かつ前記並列共振の周波数が搬送波周波域内となるように容量を選択した交流コンデンサを接続したものである。
請求項１２記載の電灯線搬送用回路によれば、請求項３と同様な効果がある。請求項１３記載の電灯線搬送用回路は、電灯線搬送を適用し、コンセント用分岐点と、前記コンセント用分岐点から分岐するコンセントとを有する屋内配電線路において、前記コンセント用分岐点に、前記コンセント用分岐点の配電線路インダクタンスと並列共振を発生させ、かつ前記並列共振の周波数が搬送波周波域内となるように容量を選択した交流コンデンサを接続したものである。
請求項１３記載の電灯線搬送用回路によれば、請求項４と同様な効果がある。請求項１４記載の電灯線搬送用回路は、請求項１１において、屋内配電線路が単相３線式であり、主ブレーカと分岐ブレーカとを接続する３つの１００Ｖ線のうち、１つの１００Ｖ線と他の２つの１００Ｖ線路間に、それぞれ交流コンデンサを接続したものである。
請求項１４記載の電灯線搬送用回路によれば、請求項１１と同様な効果がある。
請求項１５記載の電灯線搬送用回路は、請求項１４において、１００Ｖ線路間に、相互信号伝送器を接続したものである。
請求項１５記載の電灯線搬送用回路によれば、請求項１４と同様な効果がある。
請求項１６記載の電灯線搬送用回路は、請求項１４において、１００Ｖ線路間に、１００Ｖ線路間用相互信号伝送機能と搬送波信号の屋外流出を防止する機能を有する手段を接続したものである。
請求項１６記載の電灯線搬送用回路によれば、請求項１４と同様な効果がある。
請求項１７記載の電灯線搬送用回路は、請求項７において、１００Ｖ線路間用相互信号伝送機能と搬送波信号の屋外流出を防止する機能を有する手段としてブロッキングフィルタを用いるものである。
請求項１７記載の電灯線搬送用回路によれば、請求項７と同様な効果がある。請求項１８記載の電灯線搬送用回路は、請求項１０から請求項１７のいずれかにおいて、交流コンデンサの容量を約０．０６μＦ〜約０．８０μＦの範囲に選んだものである。
請求項１８記載の電灯線搬送用回路によれば、請求項１０から請求項１７のいずれかと同様な効果がある。
【手続補正１４】
【補正対象書類名】明細書
【補正対象項目名】００３０
【補正方法】変更
【補正の内容】
【００３０】
（実施の形態６）
本発明の第６の実施の形態について、図６を参照しながら説明する。図６は単相３線式の屋内配線例で、６１が受電点、６２が主ブレーカ、６３−１、６３−２、６３−３、６３−４が分岐ブレーカと続き、以降図１と同じ構成をとる。図中、主ブレーカ６２と分岐ブレーカ６３−１の間には二つの１００Ｖ間を結び付け、一つの通信路を構成するための相互信号伝送器６７と２個の共振コンデンサ６Ｃ−ｌ、６Ｃ−２を接続する。以上の構成による電灯線路は、主ブレーカ点で２回路のインピダンスを高め、同一の１００Ｖ線路間および異なる１００Ｖ間との信号減衰を抑制する効果を有している。


【手続補正１５】
【補正対象書類名】明細書
【補正対象項目名】００３２
【補正方法】変更
【補正の内容】
【００３２】
【発明の効果】
請求項１記載の電灯線搬送用線路インピダンスの改善方法によれば、線路インピダンスがほぼ純インダクタンス特性を示すことを利用し、配線路が複数並列接続されて線路インピダンスが低下する低下点であるブレーカ点に、低下点での線路インダクタンスと並列共振を発生させる交流コンデンサを接続し、並列共振の周波数が搬送波周波域内におさまるよう選択するため、低インピダンス点で発生させた並列共振によって搬送波帯周波数域でのインピダンスを向上し信号減衰の抑止に有効となる。また、複雑高価な能動回路を用いることなく、受動素子であるコンデンサを接続するだけの極めて簡単な構成で実施でき、優れた経済性をもつ電灯線搬送用線路を実現することができる。


【手続補正１６】
【補正対象書類名】明細書
【補正対象項目名】００３８
【補正方法】変更
【補正の内容】
【００３８】
請求項７記載の電灯線搬送用線路インピダンスの改善方法によれば、請求項１と同様に、主ブレーカ点で２回路のインピダンスを高め、同一の１００Ｖ線路間および異なる１００Ｖ間との信号減衰を抑制する。
請求項８記載の電灯線搬送用線路インピダンスの改善方法によれば、請求項７と同様な効果がある。
請求項９記載の電灯線搬送用線路インピダンスの改善方法によれば、請求項１から請求項８のいずれかと同様な効果がある。
請求項１０記載の電灯線搬送用回路によれば、請求項１と同様な効果がある。請求項１１記載の電灯線搬送用回路によれば、請求項２と同様な効果がある。請求項１２記載の電灯線搬送用回路によれば、請求項３と同様な効果がある。請求項１３記載の電灯線搬送用回路によれば、請求項４と同様な効果がある。請求項１４記載の電灯線搬送用回路によれば、請求項１１と同様な効果がある。
請求項１５記載の電灯線搬送用回路によれば、請求項１４と同様な効果がある。
請求項１６記載の電灯線搬送用回路によれば、請求項１４と同様な効果がある。
請求項１７記載の電灯線搬送用回路によれば、請求項７と同様な効果がある。請求項１８記載の電灯線搬送用回路によれば、請求項１０から請求項１７のいずれかと同様な効果がある。